(57)【要約】【課題】必要以上に高い電圧が検出器に印加されるのを防止することができるＸ線分析装置及び異常検知方法を提供する。【解決手段】Ｘ線分析装置１は、複数の検出器（検出ユニット３）と、電圧印加部（電気回路４）と、異常検知処理部６１とを備える。複数の検出器は、Ｘ線を検出する。電圧印加部は、複数の検出器に電圧を印加する。異常検知処理部６１は、試料から生じるＸ線が複数の検出器で検出されない状態で、電圧印加部から複数の検出器に印加する電圧を徐々に上昇させ、そのときの複数の検出器からの検出信号に基づく測定値を閾値と比較することにより、異常を検知する。【選択図】  図２
2019113351.tif 000002
【特許請求の範囲】
【請求項１】
試料から生じるＸ線を検出することにより分析を行うＸ線分析装置であって、
Ｘ線を検出する複数の検出器と、
前記複数の検出器に電圧を印加する電圧印加部と、
試料から生じるＸ線が前記複数の検出器で検出されない状態で、前記電圧印加部から前記複数の検出器に印加する電圧を徐々に上昇させ、そのときの前記複数の検出器からの検出信号に基づく測定値を閾値と比較することにより、異常を検知する異常検知処理部とを備えることを特徴とするＸ線分析装置。
【請求項２】
前記異常検知処理部により異常が検知された場合に、少なくとも前記測定値が閾値を超えた検出器に対する前記電圧印加部からの電圧の印加を停止させる電圧停止処理部をさらに備えることを特徴とする請求項１に記載のＸ線分析装置。
【請求項３】
前記電圧停止処理部は、前記異常検知処理部により異常が検知された場合に、前記測定値が閾値を超えた検出器に対する前記電圧印加部からの電圧の印加のみを停止させ、
前記異常検知処理部は、いずれかの検出器に対する前記電圧印加部からの電圧の印加が停止された後も、前記電圧印加部から他の検出器に印加する電圧を徐々に上昇させることにより、異常の検知を継続することを特徴とする請求項２に記載のＸ線分析装置。
【請求項４】
前記異常検知処理部により異常が検知された場合に、その旨を報知する報知処理部をさらに備えることを特徴とする請求項１〜３のいずれか一項に記載のＸ線分析装置。
【請求項５】
前記電圧印加部は、前記複数の検出器に対して個別に着脱可能な接続部を有することを特徴とする請求項１〜４のいずれか一項に記載のＸ線分析装置。
【請求項６】
前記複数の検出器を収容し、前記複数の検出器に対して前記接続部が着脱される空間が内部に形成された筐体と、
前記筐体に設けられ、前記空間を開閉するための開閉扉と、
前記開閉扉の開閉を検知する開閉センサとをさらに備え、
前記異常検知処理部は、前記開閉センサにより前記開閉扉の開閉を検知した場合に、その直後の検出器高圧印加時のみに、前記電圧印加部から前記複数の検出器に印加する電圧を徐々に上昇させる処理を実施することを特徴とする請求項５に記載のＸ線分析装置。
【請求項７】
電圧印加部から電圧が印加される複数の検出器で試料から生じるＸ線を検出することにより分析を行うＸ線分析装置の異常検知方法であって、
試料から生じるＸ線が前記複数の検出器で検出されない状態で、前記電圧印加部から前記複数の検出器に印加する電圧を徐々に上昇させ、そのときの前記複数の検出器からの検出信号に基づく測定値を閾値と比較することにより、異常を検知する異常検知ステップを含むことを特徴とする異常検知方法。
【請求項８】
前記異常検知ステップにより異常が検知された場合に、少なくとも前記測定値が閾値を超えた検出器に対する前記電圧印加部からの電圧の印加を停止させる電圧停止ステップをさらに含むことを特徴とする請求項７に記載の異常検知方法。
【請求項９】
前記電圧停止ステップでは、前記異常検知ステップにより異常が検知された場合に、前記測定値が閾値を超えた検出器のみに対する前記電圧印加部からの電圧の印加を停止させ、
前記異常検知ステップでは、いずれかの検出器に対する前記電圧印加部からの電圧の印加が停止された後も、前記電圧印加部から他の検出器に印加する電圧を徐々に上昇させることにより、異常の検知を継続することを特徴とする請求項８に記載の異常検知方法。
【請求項１０】
前記異常検知ステップにより異常が検知された場合に、その旨を報知する報知ステップをさらに含むことを特徴とする請求項７〜９のいずれか一項に記載の異常検知方法。
【発明の詳細な説明】
【技術分野】
【０００１】
本発明は、試料から生じるＸ線を検出することにより分析を行うＸ線分析装置、及び、Ｘ線分析装置の異常検知方法に関するものである。
【背景技術】
【０００２】
Ｘ線分析装置の一例として、試料にＸ線を照射することにより、試料に含まれる元素特有のＸ線（蛍光Ｘ線）を発生させ、そのＸ線を検出することにより試料中の成分を分析する蛍光Ｘ線分析装置が知られている（例えば、下記特許文献１参照）。試料から生じるＸ線は、分光器により分光された後、検出器により検出される。
【０００３】
この種のＸ線分析装置の中には、分析対象となる元素ごとに分光器及び検出器を設けることにより、複数種類の元素について同時に分析を行うことができるものもある（同時型蛍光Ｘ線分析装置）。具体的には、分光器と検出器とが一体的に組み込まれることにより検出ユニットが構成され、その検出ユニットが試料の設置位置の周囲に複数配置される。これにより、ほぼ同じ構造を有する複数の検出ユニットが、互いに近接して設置されることとなる。
【０００４】
検出器は、例えばガスを封入した容器内に細線が挿入された構成であり、分析時には細線に高電圧が印加される。これにより、試料からのＸ線が容器内に入射したときには、容器内のガスに電離が起こり、その電離により生じる電流が出力信号として検出器から出力される。各検出ユニットの検出器は、分析対象となる元素の種類に応じて異なる形状の容器を備えており、その容器内に封入されるガスの種類も分析対象となる元素の種類に応じて異なる。そのため、検出器に印加される高電圧の値は、検出器ごとに異なっている。
【０００５】
一方で、各検出器が接続される電気回路は、各検出器に高電圧を印加して電離により生じる電流を検出するという処理が同じであるため、それぞれ全く同一の電気回路が用いられることが多い。すなわち、各検出ユニットには、外観では区別しづらい同一の電気回路が着脱可能に接続されている。
【先行技術文献】
【特許文献】
【０００６】
【特許文献１】実開昭６０−４９４５５号公報
【発明の概要】
【発明が解決しようとする課題】
【０００７】
Ｘ線分析装置のメンテナンスを行う際や、部品の交換を行う際などには、各検出ユニットから電気回路が取り外された後、再び取り付けられる場合がある。このとき、上記のように各検出ユニットに取り付けられる電気回路が全く同一である場合には、各検出ユニットに対応しない電気回路を誤って接続してしまう可能性がある。この場合、必要以上に高い電圧が検出器に印加されることにより放電が発生し、検出器が破損するおそれがある。
【０００８】
また、上記のように各検出ユニットに対応しない電気回路を誤って接続してしまう場合だけでなく、検出器への印加電圧の設定を誤ってしまう可能性もある。このような場合にも、必要以上に高い電圧が検出器に印加され、検出器が破損するおそれがある。
【０００９】
本発明は、上記実情に鑑みてなされたものであり、必要以上に高い電圧が検出器に印加されるのを防止することができるＸ線分析装置及び異常検知方法を提供することを目的とする。
【課題を解決するための手段】
【００１０】
（１）本発明に係るＸ線分析装置は、試料から生じるＸ線を検出することにより分析を行うＸ線分析装置であって、複数の検出器と、電圧印加部と、異常検知処理部とを備える。前記複数の検出器は、Ｘ線を検出する。前記電圧印加部は、前記複数の検出器に電圧を印加する。前記異常検知処理部は、試料から生じるＸ線が前記複数の検出器で検出されない状態（例えば励起Ｘ線が試料に照射されていない状態）で、前記電圧印加部から前記複数の検出器に印加する電圧を徐々に上昇させ、そのときの前記複数の検出器からの検出信号に基づく測定値を閾値と比較することにより、異常を検知する。
【００１１】
このような構成によれば、試料から生じるＸ線が複数の検出器で検出されない状態で、複数の検出器に印加する電圧を徐々に上昇させることにより、複数の検出器からの検出信号に基づいて異常を検知することができる。試料から生じるＸ線が複数の検出器で検出されない状態では、正常であれば、検出器に印加する電圧を徐々に上昇させたとしても、検出器からの検出信号はほとんど変化しない。それにもかかわらず、検出器に対する印加電圧の上昇に伴い、検出器からの検出信号に基づく測定値が所定の閾値を超えた場合には、異常が生じていることを検知できる。これにより、必要以上に高い電圧が検出器に印加されるのを防止することができる。
【００１２】
（２）前記Ｘ線分析装置は、電圧停止処理部をさらに備えていてもよい。前記電圧停止処理部は、前記異常検知処理部により異常が検知された場合に、少なくとも前記測定値が閾値を超えた検出器に対する前記電圧印加部からの電圧の印加を停止させる。
【００１３】
このような構成によれば、異常検知処理部により異常が検知された場合には、少なくとも測定値が閾値を超えた検出器に対する電圧の印加が停止されるため、その検出器に対して必要以上に高い電圧が印加されるのを確実に防止することができる。
【００１４】
（３）前記電圧停止処理部は、前記異常検知処理部により異常が検知された場合に、前記測定値が閾値を超えた検出器に対する前記電圧印加部からの電圧の印加のみを停止させることが好ましい。この場合、前記異常検知処理部は、いずれかの検出器に対する前記電圧印加部からの電圧の印加が停止された後も、前記電圧印加部から他の検出器に印加する電圧を徐々に上昇させることにより、異常の検知を継続してもよい。
【００１５】
このような構成によれば、異常検知処理部により異常が検知された場合には、測定値が閾値を超えた検出器に対する電圧の印加のみが停止され、他の検出器に対する印加電圧は引き続き徐々に上昇されることにより、異常の検知が継続される。これにより、他の検出器に関する異常も継続して検知することが可能になるため、より確実に異常を検知することができる。
【００１６】
（４）前記Ｘ線分析装置は、報知処理部をさらに備えていてもよい。前記報知処理部は、前記異常検知処理部により異常が検知された場合に、その旨を報知する。
【００１７】
このような構成によれば、異常検知処理部により異常が検知された場合には、その旨が報知されるため、当該報知を確認したユーザが適切な処置を行うことができる。これにより、必要以上に高い電圧が検出器に印加されるのをより確実に防止することができる。
【００１８】
（５）前記電圧印加部は、前記複数の検出器に対して個別に着脱可能な接続部を有していてもよい。
【００１９】
このような構成によれば、検出器に対応しない接続部が誤って接続された場合に、その検出器からの検出信号に基づいて異常を検知することができる。したがって、接続部が誤って接続されることにより、必要以上に高い電圧が検出器に印加されるのを防止することができる。
【００２０】
（６）前記Ｘ線分析装置は、筐体と、開閉扉と、開閉センサとをさらに備えていてもよい。前記筐体は、前記複数の検出器を収容し、前記複数の検出器に対して前記接続部が着脱される空間が内部に形成されている。前記開閉扉は、前記筐体に設けられ、前記空間を開閉する。前記開閉センサは、前記開閉扉の開閉を検知する。この場合、前記異常検知処理部は、前記開閉センサにより前記開閉扉の開閉を検知した直後の検出器高圧印加時のみ、前記電圧印加部から前記複数の検出器に印加する電圧を徐々に上昇させる処理を行なってもよい。
【００２１】
このような構成によれば、接続部が着脱された可能性が無い場合には、検出器に印加する電圧を徐々に上昇させると言う時間のかかる処理を省略することができる。
【００２２】
（７）本発明に係る異常検知方法は、電圧印加部から電圧が印加される複数の検出器で試料から生じるＸ線を検出することにより分析を行うＸ線分析装置の異常検知方法であって、異常検知ステップを含む。前記異常検知ステップでは、試料から生じるＸ線が前記複数の検出器で検出されない状態で、前記電圧印加部から前記複数の検出器に印加する電圧を徐々に上昇させ、そのときの前記複数の検出器からの検出信号に基づく測定値を閾値と比較することにより、異常を検知する。
【００２３】
（８）前記異常検知方法は、電圧停止ステップをさらに含んでいてもよい。前記電圧停止ステップでは、前記異常検知ステップにより異常が検知された場合に、少なくとも前記測定値が閾値を超えた検出器に対する前記電圧印加部からの電圧の印加を停止させる。
【００２４】
（９）前記電圧停止ステップでは、前記異常検知ステップにより異常が検知された場合に、前記測定値が閾値を超えた検出器のみに対する前記電圧印加部からの電圧の印加を停止させることが好ましい。この場合、前記異常検知ステップでは、いずれかの検出器に対する前記電圧印加部からの電圧の印加が停止された後も、前記電圧印加部から他の検出器に印加する電圧を徐々に上昇させることにより、異常の検知を継続してもよい。
【００２５】
（１０）前記異常検知方法は、報知ステップをさらに含んでいてもよい。前記報知ステップでは、前記異常検知ステップにより異常が検知された場合に、その旨を報知する。
【発明の効果】
【００２６】
本発明によれば、検出器に対する印加電圧の上昇に伴い、検出器からの検出信号に基づく測定値が所定の閾値を超えた場合には、異常が生じていることを検知できるため、必要以上に高い電圧が検出器に印加されるのを防止することができる。
【図面の簡単な説明】
【００２７】
【図１】本発明の一実施形態に係るＸ線分析装置の構成例を示した概略図である。
【図２】Ｘ線分析装置の電気的構成の一例を示したブロック図である。
【図３】異常検知処理部により行われる異常検知の具体例を示したフローチャートである。
【発明を実施するための形態】
【００２８】
１．Ｘ線分析装置の全体構成
図１は、本発明の一実施形態に係るＸ線分析装置１の構成例を示した概略図である。このＸ線分析装置１は、試料設置位置に設置された試料ＳにＸ線を照射することにより、試料ＳからＸ線（蛍光Ｘ線）を発生させ、そのＸ線を検出することにより分析を行う蛍光Ｘ線分析装置である。Ｘ線分析装置１には、Ｘ線源２、検出ユニット３及び電気回路４などが備えられている。
【００２９】
Ｘ線源２は、例えばＸ線管球により構成されている。この種のＸ線源２には、例えば互いに間隔を隔てて配置されたフィラメント及びターゲット（いずれも図示せず）が備えられている。ターゲットは、例えばＣｕ、Ｃｒ、Ｍｏ、Ａｌ、Ａｇ又はＡｕにより形成することができる。Ｘ線源２には電力が供給され、フィラメントとターゲットとの間に高電圧が印加される。これにより、フィラメントからターゲットに向けて熱電子が放出され、この熱電子がターゲットに衝突することによりＸ線が発生する。Ｘ線源２から発生したＸ線は、試料Ｓに照射される。
【００３０】
Ｘ線が照射された試料Ｓからは、試料Ｓに含まれる元素特有のＸ線が蛍光Ｘ線として発生する。試料Ｓから発生したＸ線は、検出ユニット３により検出され、その検出信号が電気回路４に入力される。検出ユニット３は、接続部５を介して電気回路４に接続されている。接続部５は、例えば着脱可能なコネクタにより構成されており、検出ユニット３と電気回路４とを着脱可能に接続している。
【００３１】
検出ユニット３は、分光器３１と検出器３２とが一体的に組み込まれた１つの部品として構成されている。分光器３１は、例えば分光結晶からなり、試料Ｓから発生したＸ線を分光する。そして、分光されたＸ線を検出器３２で検出することにより、特定波長の強度を測定することができる。
【００３２】
検出器３２は、例えば比例計数管又はシンチレーション計数管などにより構成される。検出器３２は、例えばガスを封入した容器内に細線が挿入された構成であり、分析時には細線に高電圧が印加される。これにより、試料ＳからのＸ線が容器内に入射したときには、容器内のガスに電離が起こり、その電離により生じる電流が出力信号として検出器３２から出力される。
【００３３】
電気回路４は、高電圧発生器４１、増幅器４２、波高分析器４３及び計数器４４などを備えている。高電圧発生器４１は、接続部５とともに、検出器３２に高電圧を印加する電圧印加部を構成している。増幅器４２は、検出器３２からの出力信号を増幅して波高分析器４３に入力する。波高分析器４３は、増幅器４２から入力される検出器３２からの出力信号（出力パルス）の波高を測定する。計数器４４は、波高分析器４３において所定の波高値を超えた出力信号（出力パルス）を計数する。
【００３４】
Ｘ線分析装置１は、内部空間１１を有する中空状の筐体１２を備えている。筐体１２の内部空間１１には、Ｘ線源２、検出ユニット３、電気回路４及び接続部５が収容されている。筐体１２には、内部空間１１を開閉するための開閉扉１３が設けられている。したがって、開閉扉１３を開いて内部空間１１を開放することにより、内部空間１１内で検出器３２に対して接続部５を着脱することが可能になる。
【００３５】
２．Ｘ線分析装置の電気的構成
図２は、Ｘ線分析装置１の電気的構成の一例を示したブロック図である。Ｘ線分析装置１には、上述の検出ユニット３、電気回路４及び接続部５の他に、制御部６、開閉センサ７及び表示部８などが備えられている。制御部６は、例えばＣＰＵ（Central Processing Unit）を含む構成であり、ＣＰＵがプログラムを実行することにより、異常検知処理部６１、電圧停止処理部６２及び報知処理部６３などとして機能する。
【００３６】
図２に示すように、本実施形態に係るＸ線分析装置１には、複数の検出ユニット３が備えられている。各検出ユニット３に備えられた検出器３２は、それぞれ異なる元素を検出するためのものであり、分析対象となる元素の種類に応じて異なる形状の容器を有するとともに、その容器内に異なる種類のガスが封入されている。
【００３７】
各検出ユニット３は、ほぼ同じ構造を有しており、それぞれ試料Ｓの設置位置の周囲に配置される。これにより、複数の検出ユニット３が、互いに近接して設置された状態となる。分析時には、各検出ユニット３でそれぞれ異なる元素特有のＸ線を検出することにより、複数種類の元素について同時に分析を行うことができる。
【００３８】
各検出ユニット３には、それぞれ接続部５を介して電気回路４が接続されている。すなわち、本実施形態に係るＸ線分析装置１には、接続部５を介して互いに接続された検出ユニット３及び電気回路４が、複数組設けられている。各接続部５は、各検出ユニット３及び各電気回路４を個別に着脱可能である。各電気回路４は、上述の通り高電圧発生器４１、増幅器４２、波高分析器４３及び計数器４４などを備えており、それぞれ同一の回路構成を有している。そのため、各電気回路４は外観では区別しづらく、互いに対応しない異なる組の検出ユニット３と電気回路４とが、着脱可能な接続部５を介して誤って接続されるおそれがある。
【００３９】
そこで、本実施形態では、制御部６の制御により、各検出ユニット３に対応しない電気回路４が誤って接続されるのを防止できるような構成となっている。具体的には、異常検知処理部６１により、各検出ユニット３の検出器３２からの検出信号に基づいて異常が検知される。なお、「異常」には、各検出ユニット３に対応しない電気回路４が誤って接続される場合の他、高電圧発生器４１から各検出器３２に印加される電圧の設定を誤った場合などのように、各検出器３２に想定外の電圧が印加される各種の状態が含まれるものとする。
【００４０】
異常検知処理部６１は、Ｘ線分析装置１の試料設置位置に試料Ｓが設置されていない状態で、各電気回路４の高電圧発生器４１から各検出ユニット３の検出器３２に印加する電圧を徐々に上昇させる。このとき、各検出器３２に印加される電圧は、その検出器３２の使用時に印加すべき電圧（設定電圧）に到達するまで、連続的又は段階的に上昇するように制御される。
【００４１】
異常検知処理部６１による異常検知の際には、試料設置位置に試料Ｓが設置されていないため、何も異常がなければ、各検出器３２からは検出信号が全く出力されないか、あるいは、出力されたとしても極僅かである。しかし、例えば各検出ユニット３に対応しない電気回路４が誤って接続されている場合や、各検出器３２に印加される電圧の設定を誤った場合などのように、いずれかの検出器３２に想定外の電圧が印加されたときには、その検出器３２から放電に由来する検出信号が出力される場合がある。
【００４２】
そこで、異常検知処理部６１は、各検出器３２に印加する電圧を徐々に上昇させたときの各検出器３２からの検出信号に基づく測定値を閾値と比較することにより、上記のような異常を検知する。すなわち、いずれかの検出器３２からの検出信号に基づく測定値が所定の閾値を超えている場合には、その検出器３２について異常が発生していると判定することができる。上記測定値としては、計数率（ｃｐｓ）を例示することができるが、これに限られるものではない。
【００４３】
異常検知処理部６１による異常検知は、検出器高圧を印加するタイミングで行なわれるべきであるが、本実施形態では、開閉扉１３の開閉の有無に基づいて異常検知が開始されるようになっている。Ｘ線分析装置１には、例えば機械的又は光学的に開閉扉１３の開閉を検知する開閉センサ７が備えられている。異常検知処理部６１は、開閉センサ７により開閉扉１３の開状態又は閉状態を検知した場合に、その直後の検出器高圧印加時のみ各電気回路４の高電圧発生器４１から各検出ユニット３の検出器３２に印加する電圧を徐々に上昇させる処理を開始させる。これにより、接続部５が着脱された可能性が無い場合には、検出器に印加する電圧を徐々に上昇させると言う時間のかかる処理を省略することができる。
【００４４】
電圧停止処理部６２は、異常検知処理部６１により異常が検知された場合に、少なくとも異常が検知された検出器３２（測定値が閾値を超えた検出器３２）に対する電圧の印加を停止させる。すなわち、全ての検出器３２に対する電圧の印加を停止させてもよいが、異常が検知された検出器３２に対する電圧の印加のみを停止させ、他の検出器３２に対する電圧の印加は継続してもよい。
【００４５】
報知処理部６３は、異常検知処理部６１により異常が検知された場合に、その旨をユーザに報知する。本実施形態では、報知処理部６３が表示部８に対する表示を制御することにより、異常をユーザに報知する。表示部８は、例えば液晶表示器により構成されている。ただし、表示部８に対する表示に限らず、例えば音などの他の手段により異常を報知するような構成であってもよい。
【００４６】
３．異常検知の具体例
図３は、異常検知処理部６１により行われる異常検知の具体例を示したフローチャートである。本実施形態では、開閉センサ７により開閉扉１３の開閉が検知された場合に（ステップＳ１０１でＹｅｓ）、異常検知処理部６１による異常検知（ステップＳ１０２，Ｓ１０３，Ｓ１０６：異常検知ステップ）が開始される。
【００４７】
具体的には、各検出器３２に印加する電圧を徐々に上昇させ（ステップＳ１０２）、各検出器３２からの検出信号に基づく測定値（例えば計数率）が閾値（例えば１０ｃｐｓ）と比較される（ステップＳ１０３）。その過程で、いずれかの検出器３２からの検出信号に基づく測定値が閾値を超えた場合には（ステップＳ１０３でＹｅｓ）、その検出器３２に対する電圧の印加のみが停止される（ステップＳ１０４：電圧停止ステップ）。また、異常が検知された旨が、表示部８の表示によりユーザに報知される（ステップＳ１０５：報知ステップ）。このとき、異常が検知された検出器３２を特定する情報が報知されてもよい。
【００４８】
上記のように、いずれかの検出器３２に対する電圧の印加が停止された場合であっても、異常検知処理が終了するまでは（ステップＳ１０６でＹｅｓとなるまで）、他の検出器３２に印加する電圧を徐々に上昇させることにより（ステップＳ１０２）、異常の検知が継続される。そして、他の検出器３２からの検出信号に基づく測定値が閾値を超えた場合には（ステップＳ１０３でＹｅｓ）、その検出器３２について電圧停止ステップ（ステップＳ１０４）及び報知ステップ（ステップＳ１０５）が行われる。
【００４９】
４．作用効果
（１）本実施形態では、試料Ｓから生じるＸ線が複数の検出器３２で検出されない状態で、複数の検出器３２に印加する電圧を徐々に上昇させることにより（ステップＳ１０２）、複数の検出器３２からの検出信号に基づいて異常を検知することができる（ステップＳ１０３）。試料Ｓから生じるＸ線が複数の検出器３２で検出されない状態では、正常であれば、検出器３２に印加する電圧を徐々に上昇させたとしても、検出器３２からの検出信号はほとんど変化しない。それにもかかわらず、検出器３２に対する印加電圧の上昇に伴い、検出器３２からの検出信号に基づく測定値が所定の閾値を超えた場合には（ステップＳ１０３でＹｅｓ）、異常が生じていることを検知できる。これにより、必要以上に高い電圧が検出器３２に印加されるのを防止することができる。
【００５０】
（２）また、本実施形態では、異常検知処理部６１により異常が検知された場合には（ステップＳ１０３でＹｅｓ）、少なくとも測定値が閾値を超えた検出器３２に対する電圧の印加が停止されるため（ステップＳ１０４）、その検出器３２に対して必要以上に高い電圧が印加されるのを確実に防止することができる。
【００５１】
（３）特に、本実施形態では、異常検知処理部６１により異常が検知された場合には（ステップＳ１０３でＹｅｓ）、測定値が閾値を超えた検出器３２に対する電圧の印加のみが停止され（ステップＳ１０４）、他の検出器３２に対する印加電圧は引き続き徐々に上昇されることにより（ステップＳ１０２）、異常の検知が継続される。これにより、他の検出器３２に関する異常も継続して検知することが可能になるため、より確実に異常を検知することができる。
【００５２】
（４）また、本実施形態では、異常検知処理部６１により異常が検知された場合には（ステップＳ１０３でＹｅｓ）、その旨が報知されるため（ステップＳ１０５）、当該報知を確認したユーザが適切な処置を行うことができる。これにより、必要以上に高い電圧が検出器３２に印加されるのをより確実に防止することができる。
【００５３】
（５）本実施形態では、複数の検出器３２に対して、個別に着脱可能な接続部５を介して各電気回路４が接続されている。したがって、検出器３２に対応しない接続部５が誤って接続された場合に、その検出器３２からの検出信号に基づいて異常を検知することができる。したがって、接続部５が誤って接続されることにより、必要以上に高い電圧が検出器３２に印加されるのを防止することができる。
【００５４】
（６）また、本実施形態では、開閉扉１３が開閉されなかった場合に（ステップＳ１０１でＮｏ）、異常検知処理部６１による異常の検知が省略される。開閉扉１３が開閉された場合には、筐体１２内に収容されている検出器３２に対して接続部５が着脱された可能性がある。したがって、開閉扉１３が開閉された場合には、異常検知処理部６１による異常の検知が必要となるが、接続部５が着脱された可能性が無ければ、無駄に時間を費やす必要は無い。
【００５５】
５．変形例
異常検知処理部６１による異常検知は、試料Ｓから生じるＸ線が各検出器３２で検出されない状態で行われればよく、試料設置位置に試料Ｓが設置されていない状態に限られるものではない。すなわち、試料設置位置に設置された試料ＳにＸ線源２からのＸ線が照射されないような状態などで異常検知が行われてもよい。
【００５６】
異常検知処理部６１による異常検知を開始するタイミングは、開閉扉１３が開閉された場合に限られるものではない。例えば、Ｘ線分析装置１の電源が投入されたときなどのように、他の任意のタイミングで異常検知を開始することも可能である。
【００５７】
本発明は、波長分散型の蛍光Ｘ線分析装置に限らず、エネルギー分散型の蛍光Ｘ線分析装置などの他のＸ線分析装置にも適用することができる。
【符号の説明】
【００５８】
１    Ｘ線分析装置
２    Ｘ線源
３    検出ユニット
４    電気回路
５    接続部
６    制御部
７    開閉センサ
８    表示部
１１  内部空間
１２  筐体
１３  開閉扉
３１  分光器
３２  検出器
４１  高電圧発生器
４２  増幅器
４３  波高分析器
４４  計数器
６１  異常検知処理部
６２  電圧停止処理部
６３  報知処理部
【図１】
2019113351.tif 000003
【図２】
2019113351.tif 000004
【図３】
2019113351.tif 000005